(57)【要約】【課題】導入・運用が容易なバス停情報提供システムを提供する。【解決手段】各バス停に設置したバス停装置２０はそれぞれカメラ２１とアクセスポイント２４と情報表示板２５とを備え、各アクセスポイント同士を無線接続してメッシュネットワーク１２が構築される。バス停装置２０はカメラ映像を解析してバス停へのバスの到来および系統番号を認識し、これらを中央装置４０にメッシュネットワークを通じて通知する。中央装置４０はバス停装置２０から受信した情報に基づいてそのバスが下流のバス停に到着する時刻を予測し、これを下流のバス停のバス停装置２０にメッシュネットワーク１２を通じて通知しそのバス停装置２０の情報表示板２５に表示させる。【選択図】図４
2014010493.tif 000002
【特許請求の範囲】
【請求項１】
中央装置と、各バス停に設置されたバス停装置とを有するバス停情報提供システムであって、
前記バス停装置は、バス停付近を撮影するカメラと、情報表示板と、メッシュネットワーク対応のアクセスポイントとを備え、
各バス停に配置された前記アクセスポイントを使用して前記メッシュネットワークを構築し、
前記中央装置は、前記メッシュネットワークに接続される通信部を備え、
前記バス停装置は、カメラで撮影されたバスの映像を解析してそのバスの系統番号を認識し、該認識した系統番号と当該バス停装置の設置されているバス停の識別情報とを含むバス位置情報を前記中央装置に前記メッシュネットワークを通じて送信し、
前記中央装置は、前記バス停装置から送られてきた前記バス位置情報に基づいて、そのバス位置情報に含まれる系統番号のバスが下流のバス停に到着する到着予測時刻を求め、前記系統番号と前記到着予測時刻とを含むバス運行情報を前記下流のバス停のバス停装置に前記メッシュネットワークを通じて送信し、
前記中央装置から前記バス運行情報を受信したバス停装置は、その受信したバス運行情報に基づいて当該バス停装置のあるバス停に到着予定のバスの系統番号とその到着予測時刻とを前記情報表示板に表示する
ことを特徴とするバス停情報提供システム。
【請求項２】
前記バス停装置は、カメラで撮影された映像を解析してバス停付近の道路混雑度を求め、該道路混雑度を前記中央装置に前記メッシュネットワークを通じて送信し、
前記中央装置は、前記バス停装置から送られてきた前記バス位置情報と前記道路混雑度に基づいて前記到着予測時刻を求める
ことを特徴とする請求項１に記載のバス停情報提供システム。
【請求項３】
前記バス停装置は、カメラで撮影された停車中のバスの映像を解析してそのバスへの乗降人数を求めて前記中央装置に送信し、
前記中央装置は、同一のバスについて前記バス停装置から送られてくる乗降人数をそのバスの起点のバス停から集計して現時点でのそのバスの乗客数を求め、該乗客数に基づくこのバスの混雑度を、このバスの下流のバス停装置に送信し、
前記バス停装置は、中央装置から受信したバスの混雑度を前記情報表示板に表示する
ことを特徴とする請求項１または２に記載のバス停情報提供システム。
【請求項４】
前記中央装置は、バス停装置のアクセスポイントに接続した情報端末からの要求に応じてバス運行情報を前記情報端末に提供する
ことを特徴とする請求項１乃至３のいずれか１つに記載のバス停情報提供システム。
【請求項５】
前記中央装置は、予め登録されている情報端末が、前記メッシュネットワークを構成するいずれかのバス停装置のアクセスポイントで検出されたとき、該検出したアクセスポイントのサービスエリア内に前記情報端末が居ると判断してその所在を報知する
ことを特徴とする請求項１乃至４のいずれか１つに記載のバス停情報提供システム。
【請求項６】
前記中央装置は、予め登録されている情報端末が、前記メッシュネットワークを構成するいずれかのバス停装置のアクセスポイントで検出されたとき、該検出したアクセスポイントを有するバス停装置のカメラによって撮影された映像を取得して保存する
ことを特徴とする請求項１乃至５のいずれか１つに記載のバス停情報提供システム。
【請求項７】
災害発生時は、前記メッシュネットワークを通じて前記中央装置から前記バス停装置に災害関連情報を送信し、該災害関連情報を前記バス停装置の前記情報表示板に表示する
ことを特徴とする請求項１乃至６のいずれか１つに記載のバス停情報提供システム。
【請求項８】
災害発生時は、前記バス停装置のカメラで撮影した映像を前記バス停装置から前記中央装置に前記メッシュネットワークを通じて送信し、該映像を前記中央装置の表示装置に表示する
ことを特徴とする請求項１乃至７のいずれか１つに記載のバス停情報提供システム。
【請求項９】
災害発生時は、前記バス停装置のアクセスポイントからインターネットに接続するサービスを提供する
ことを特徴とする請求項１乃至８のいずれか１つに記載のバス停情報提供システム。
【発明の詳細な説明】
【技術分野】
【０００１】
本発明は、バスの到着予測時刻等をバス停に表示するバス停情報提供システムに関する。
【背景技術】
【０００２】
バス停に設置した情報表示板に、バスの接近や到着予測時刻などの情報をバス利用者向けに表示するバスロケーションシステムがある。図１８は、従来のバスロケーションシステムの一例を示している。バスには、当該バスの位置を検出するＧＰＳ車載器が搭載されている。バスのＧＰＳ車載器は携帯電話通信網およびインターネットを介して情報センターに設置された運行管理装置に位置情報を送信する。各バス停には、情報センターの運行管理装置と携帯電話通信網を通じて接続された情報表示板が設置されている。情報センターの運行管理装置は、バスのＧＰＳ車載器から受信した位置情報に基づいてそのバスが下流のバス停に到着する到着予測時刻を求め、これを下流のバス停に設置された情報表示板に送信する。これにより、バス停の情報表示板に次のバスの到着予測時刻が表示されてバス利用者の便宜が図られる。また、各利用者の保持する携帯端末などに、インターネットおよび携帯電話網を介して、バスの運行情報の提供が行われる。
【０００３】
また、特許文献１には、バスの車載装置で現在位置を逐次検出して前方のバス停の情報表示装置に送信し、前方のバス停の情報表示装置がバスから受信した位置情報に基づいてそのバスの到着予測時刻を求めて表示するシステムが開示されている。
【０００４】
このほか、カメラを備えた車両検知機を道路の各所に設置しておき、各車両検知器はそのカメラで撮影したバスの映像を解析して認識した系統番号と当該車両検知器の位置情報とを交通管制センターに送信し、これを受信した交通管制センサーが路線バスの定時性を確保するように優先制御を行う交通管制システムがある（たとえば、特許文献２参照）。
【先行技術文献】
【特許文献】
【０００５】
【特許文献１】特開２００１−２３０８９号公報
【特許文献２】特開平１０−１１１９９９号公報
【発明の概要】
【発明が解決しようとする課題】
【０００６】
従来のバスロケーションシステムは、バスに搭載した車載器で検出した位置情報を情報センターの運行管理装置に携帯電話通信網を通じて送信する、といった構成を採用するため、車載器がバスの台数分必要になると共に、位置情報の送信に携帯電話通信網を使用するので、大規模で複雑なシステム構成になり、導入・運用に費用が嵩むという問題があった。
【０００７】
また、インターネットを使用して利用者の携帯端末に運行情報を提供するので、セキュリティ面で脆弱であった。さらに、複数のバス事業者が乗り入れているバス停の場合、車載器の規格が相違するなどによりシステムの共通利用が難しかった。
【０００８】
さらに、バスの到着予測時刻を表示する機能しかなく、バスを待つ利用者に役立つ情報、たとえば、次のバスが混雑しているか否かを示す情報などを、提供することはできなかった。
【０００９】
また、バス停は街中の主要な箇所に分散配置されており、多くの利用者が利用するものであるが、従来のバスロケーションシステムは、バスの到着予測時刻を表示する等の利用に限定されており、災害発生時の情報提供などに有効利用されていなかった。
【００１０】
本発明は、上記の問題を解決しようとするものであり、導入・運用が容易なバス停情報提供システムを提供することを目的としている。また、災害発生時の情報提供などに利用可能なバス停情報提供システムを提供することを第２の目的としている。
【課題を解決するための手段】
【００１１】
かかる目的を達成するための本発明の要旨とするところは、次の各項の発明に存する。
【００１２】
［１］中央装置と、各バス停に設置されたバス停装置とを有するバス停情報提供システムであって、
前記バス停装置は、バス停付近を撮影するカメラと、情報表示板と、メッシュネットワーク対応のアクセスポイントとを備え、
各バス停に配置された前記アクセスポイントを使用して前記メッシュネットワークを構築し、
前記中央装置は、前記メッシュネットワークに接続される通信部を備え、
前記バス停装置は、カメラで撮影されたバスの映像を解析してそのバスの系統番号を認識し、該認識した系統番号と当該バス停装置の設置されているバス停の識別情報とを含むバス位置情報を前記中央装置に前記メッシュネットワークを通じて送信し、
前記中央装置は、前記バス停装置から送られてきた前記バス位置情報に基づいて、そのバス位置情報に含まれる系統番号のバスが下流のバス停に到着する到着予測時刻を求め、前記系統番号と前記到着予測時刻とを含むバス運行情報を前記下流のバス停のバス停装置に前記メッシュネットワークを通じて送信し、
前記中央装置から前記バス運行情報を受信したバス停装置は、その受信したバス運行情報に基づいて当該バス停装置のあるバス停に到着予定のバスの系統番号とその到着予測時刻とを前記情報表示板に表示する
ことを特徴とするバス停情報提供システム。
【００１３】
上記発明では、各バス停に設置したバス停装置はそれぞれカメラとアクセスポイントと情報表示板とを備えており、各バス停に設置されたアクセスポイント同士を無線接続してメッシュネットワークが構築される。バス停装置は、カメラで撮影しているバス停付近の映像を解析してバスの到来およびそのバスの系統番号を認識し、当該バス停装置の識別情報（これによりバス停の位置が特定される）および認識した系統番号を含むバス位置情報を中央装置にメッシュネットワークを通じて通知する。中央装置はバス停装置から受信したバス位置情報に基づいてそのバスが下流のバス停に到着する時刻を予測して下流のバス停のバス停装置にメッシュネットワークを通じて通知し、そのバス停装置の情報表示板に表示させる。このように、バスの位置を検知して携帯電話網で情報センターに送信する等の機能を備えた車載装置をバスに搭載することなく、バス位置を検知しその到着予測時刻をバス停に表示することができるので、該システムの導入・運用が容易になる。
【００１４】
［２］前記バス停装置は、カメラで撮影された映像を解析してバス停付近の道路混雑度を求め、該道路混雑度を前記中央装置に前記メッシュネットワークを通じて送信し、
前記中央装置は、前記バス停装置から送られてきた前記バス位置情報と前記道路混雑度に基づいて前記到着予測時刻を求める
ことを特徴とする［１］に記載のバス停情報提供システム。
【００１５】
上記発明では、バス停に設置したカメラの映像からバス停前の道路の混雑状況を認識するので、下流のバス停へのバスの到着時間をより精度高く予測することができる。
【００１６】
［３］前記バス停装置は、カメラで撮影された停車中のバスの映像を解析してそのバスへの乗降人数を求めて前記中央装置に送信し、
前記中央装置は、同一のバスについて前記バス停装置から送られてくる乗降人数をそのバスの起点のバス停から集計して現時点でのそのバスの乗客数を求め、該乗客数に基づくこのバスの混雑度を、このバスの下流のバス停装置に送信し、
前記バス停装置は、中央装置から受信したバスの混雑度を前記情報表示板に表示する
ことを特徴とする［１］または［２］に記載のバス停情報提供システム。
【００１７】
上記発明では、各バス停装置は、カメラの映像を解析して停車中のバスへの乗降客数を認識して中央装置に通知し、中央装置は同一バスについてその乗降客数を起点のバス停から累積して現時点での乗客数を求め、そのバスの混雑度を下流のバス停装置に通知して情報表示板に表示させる。バスの到着予測時刻に加えてそのバスの混雑度が表示される。このように、各バス停に設置された情報表示板には、バスの到着予測時刻に加えてそのバスの混雑度が表示される。
【００１８】
［４］前記中央装置は、バス停装置のアクセスポイントに接続した情報端末からの要求に応じてバス運行情報を前記情報端末に提供する
ことを特徴とする［１］乃至［３］のいずれか１つに記載のバス停情報提供システム。
【００１９】
上記発明では、バス停に設置したアクセスポイントのサービスエリア内に居るバス利用者等は、情報端末をアクセスポイントからメッシュネットワーク経由で中央装置に接続して、該中央装置からバス運行情報を入手することができる。
【００２０】
［５］前記中央装置は、予め登録されている情報端末が、前記メッシュネットワークを構成するいずれかのバス停装置のアクセスポイントで検出されたとき、該検出したアクセスポイントのサービスエリア内に前記情報端末が居ると判断してその所在を報知する
ことを特徴とする［１］乃至［４］のいずれか１つに記載のバス停情報提供システム。
【００２１】
上記発明では、徘徊高齢者などに情報端末を所持させておけば、行方不明になった場合、その捜索に当該バス停情報提供システムを利用することができる。
【００２２】
［６］前記中央装置は、予め登録されている情報端末が、前記メッシュネットワークを構成するいずれかのバス停装置のアクセスポイントで検出されたとき、該検出したアクセスポイントを有するバス停装置のカメラによって撮影された映像を取得して保存する
ことを特徴とする［１］乃至［５］のいずれか１つに記載のバス停情報提供システム。
【００２３】
上記発明では、カメラの映像には、検出された情報端末を所持する者が写っている可能性が高いので、これを保存することでその捜索に役立てることができる。
【００２４】
［７］災害発生時は、前記メッシュネットワークを通じて前記中央装置から前記バス停装置に災害関連情報を送信し、該災害関連情報を前記バス停装置の前記情報表示板に表示する
ことを特徴とする［１］乃至［６］のいずれか１つに記載のバス停情報提供システム。
【００２５】
上記発明では、災害発生時の情報提供に当該バス停情報提供システムを活用することができる。
【００２６】
［８］災害発生時は、前記バス停装置のカメラで撮影した映像を前記バス停装置から前記中央装置に前記メッシュネットワークを通じて送信し、該映像を前記中央装置の表示装置に表示する
ことを特徴とする［１］乃至［７］のいずれか１つに記載のバス停情報提供システム。
【００２７】
上記発明では、災害発生時に被災現場の状況確認等に当該バス停情報提供システムを活用することができる。
【００２８】
［９］災害発生時は、前記バス停装置のアクセスポイントからインターネットに接続するサービスを提供する
ことを特徴とする［１］乃至［８］のいずれか１つに記載のバス停情報提供システム。
【００２９】
上記発明では、災害発生時には、メッシュネットワークの各アクセスポイントはインターネットに接続可能に開放される。これにより、だれでも情報端末をバス停装置のアクセスポイント経由でインターネットに接続して災害情報等を入手することができる。
【発明の効果】
【００３０】
本発明によれば、導入・運用が容易なバス停情報提供システムが提供される。
【図面の簡単な説明】
【００３１】
【図１】本発明の実施の形態に係るバス停情報提供システムの設置例を示す図である。
【図２】本発明の実施の形態に係るバス停情報提供システムのバス停装置の概略構成を示すブロック図である。
【図３】本発明の実施の形態に係るバス停情報提供システムの中央装置の概略構成を示すブロック図である。
【図４】本発明の実施の形態に係るバス停情報提供システムの平時の動作概要を示す説明図である。
【図５】本発明の実施の形態に係るバス停情報提供システムの災害発生時の動作概要を示す説明図である。
【図６】本発明の実施の形態に係るバス停情報提供システムが予め登録されている情報端末の位置を検出する動作の例を示す説明図である。
【図７】バス停装置のカメラ部が行う処理を示す流れ図である。
【図８】バス停装置が中央装置に送信するバス位置情報のデータ構造を示す図である。
【図９】バス停装置が中央装置に送信する道路混雑情報のデータ構造を示す図である。
【図１０】バス停装置の割り込み処理を示す流れ図である。
【図１１】バス停装置が中央装置へ送信するカメラ映像のデータ構造を示す図である。
【図１２】中央装置の災害情報処理装置が行う処理を示す流れ図である。
【図１３】中央装置の災害情報処理装置がバス停装置へ送信する情報表示板更新データのデータ構造を示す図である。
【図１４】中央装置の運行情報処理装置が行う処理を示す流れ図である。
【図１５】中央装置からバス停装置に送信されるバス運行情報のデータ構造を示す図である。
【図１６】中央装置の位置情報処理装置が行う処理を示す流れ図である。
【図１７】中央装置からバス停装置に送信される映像要求のデータ構造を示す図である。
【図１８】従来のバスロケーションシステムの構成例を示す図である。
【発明を実施するための形態】
【００３２】
以下、図面に基づき本発明の実施の形態を説明する。
【００３３】
図１は、本発明に係るバス停情報提供システム１０の設置例を示している。バス停情報提供システム１０は、各バス停３に設置されるバス停装置２０と、バスの運行管理を行う情報センターなどに設置される中央装置４０とから構成される。
【００３４】
バス停装置２０は、カメラ２２、メッシュネットワークに対応したアクセスポイント２４、各種の情報を表示する情報表示板２５などを備えて構成される。カメラ２２は、バス停３に到来するバス５の正面、人がバスに乗降する様子、バス停付近の道路や歩道の様子などを撮影する。
【００３５】
バス停情報提供システム１０では、各バス停に設置したバス停装置２０のアクセスポイント２４を網目状に無線通信で接続することにより、メッシュネットワーク１２を構成する。ここでは、各アクセスポイント２４はそのサービスエリア（無線通信可能な範囲）内にあるすべての他のアクセスポイント２４と無線通信で接続してメッシュネットワークを構成する。各アクセスポイント２４は少なくとも２箇所の隣接するアクセスポイント２４と無線通信する。なお、バス停間に障害物があったり、離れすぎていたりする場合には、中継用のアクセスポイントが適宜設置される。
【００３６】
情報センターに設置された中央装置４０は上記メッシュネットワーク１２に接続される。ここでは、中央装置４０もメッシュネットワーク対応のアクセスポイント４４を有し、このアクセスポイント４４を通じて上記メッシュネットワーク１２と接続される。
【００３７】
バス停情報提供システム１０は、各バス停３に設けた情報表示板２５にバスの到着予測時刻や到着予定のバスの混雑状況を表示する機能、バスの到着予測時刻等をバス利用者の携帯する情報端末等に通知する機能などを果たす。また、災害発生時には、災害関連情報を情報表示板２５に表示する機能、バス停装置２０のカメラ２２で撮影した被災状況の映像を収集する機能などを有する。また、予め登録された捜索対象の情報携帯端末を、メッシュネットワーク１２を利用して検出し、その場所を特定する機能を備えている。
【００３８】
図２は、バス停装置２０の概略構成を示している。バス停装置２０は、カメラ２２と制御部２３を備えたカメラ部２１と、表示部２６と制御部２７を備えた情報表示板２５と、メッシュネットワークに対応したアクセスポイント２４とを備えて構成される。カメラ部２１と情報表示板２５はそれぞれ有線ＬＡＮでアクセスポイント２４に接続されている。さらに、バス停装置２０は、当該バス停装置２０の各部に電力を供給する電源回路２８を備えている。
【００３９】
制御部２３、２７はそれぞれ、ＣＰＵ（Central Processing Unit）、ＲＯＭ（Read Only Memory）、ＲＡＭ（Random Access Memory）などを主要部として構成される。カメラ部２１の制御部２３は、カメラ２２の撮影した映像を解析してその結果をアクセスポイント２４からメッシュネットワーク１２を通じて中央装置４０へ送信したり、中央装置４０からの要求に応じてカメラ２２の映像を中央装置４０へ送信したりする等の制御を行う。この制御は、ＲＯＭに格納されているプログラムをＣＰＵが実行することにより実現される。
【００４０】
情報表示板２５の制御部２７は、中央装置４０から送られてきたバス運行情報や災害関連情報を情報表示板２５の表示部２６に表示する制御を行う。表示部２６は、液晶ディスプレイや電子ペーパーなどで構成される。
【００４１】
アクセスポイント２４は、メッシュネットワーク１２を構築するために少なくとも隣接するバス停装置２０のアクセスポイント２４と無線通信を行う。また、無線ＬＡＮ（Local Area Network）に対応した情報端末と通信することができる。たとえば、バス利用者等の所持する携帯型の情報端末と通信する。
【００４２】
電源回路２８は、太陽電池２８ａと、この太陽電池２８ａが発電した電気を蓄える蓄電池２８ｂを有する。また、商用電源にも接続されており、蓄電池２８ｂの蓄電量が不足する場合には商用電源からバス停装置２０の各部に電力を供給する。
【００４３】
図３は、中央装置４０の概略構成を示している。中央装置４０は、運行情報処理装置４１と、位置情報処理装置４２と、災害情報処理装置４３と、メッシュネットワーク対応のアクセスポイント４４とを備えて構成される。運行情報処理装置４１、位置情報処理装置４２、災害情報処理装置４３はそれぞれアクセスポイント４４に有線ＬＡＮで接続されている。災害情報処理装置４３はインターネットにも接続されている。
【００４４】
アクセスポイント４４はメッシュネットワーク１２を構築している隣接するバス停装置２０のアクセスポイント２４と無線通信を行う。なお、中央装置４０のアクセスポイント４４もメッシュネットワーク１２を構築する１つのアクセスポイントとして機能する。
【００４５】
運行情報処理装置４１は、バス停装置２０から受信した情報に基づいて下流のバス停（バスよりその進行方向側のバス停）へのバスの到着時刻を予測してバス停装置２０へ通知する処理などを行う。
【００４６】
位置情報処理装置４２は、メッシュネットワーク１２を構成するいずれかのバス停装置２０のアクセスポイント２４で情報端末が検出されたとき、その検出された情報端末が、予め登録されている捜索対象の情報端末と一致するか否かを判断し、一致する場合は、捜索対象の情報端末が、該情報端末を検出したアクセスポイント２４のサービスエリア内（特に該当するバス停の近傍）であると判断して捜索依頼元へ報知する等の処理を行う。たとえば、徘徊高齢者などに無線ＬＡＮ対応の情報端末を所持してもらい、アクセスポイント２４でその情報端末のＭＡＣ（Media Access Control）アドレスを検出することで徘徊高齢者の現在位置を把握する。
【００４７】
災害情報処理装置４３は、災害の発生時にメッシュネットワーク１２を通じて各バス停装置２０に災害関連情報を送信して情報表示板２５に表示させる処理や、各バス停装置２０のカメラ２２から映像（被災状況の映像）を収集して表示する処理などを行う。
【００４８】
運行情報処理装置４１、位置情報処理装置４２、災害情報処理装置４３は、ＣＰＵ、ＲＯＭ、ＲＡＭ、不揮発メモリなどを主要部として構成される。なお、中央装置４０は、たとえば、アクセスポイント４４と有線ＬＡＮで接続された汎用のコンピュータ装置とを備え、該コンピュータ装置で運行情報処理装置４１、位置情報処理装置４２、災害情報処理装置４３の機能を実現するためのプログラムを実行する、といった構成であってもよい。
【００４９】
図４は、バス停情報提供システム１０が平時に行うバス運行情報の提供に係る動作を示している。バス停３に設置されたバス停装置２０は、カメラ２２で撮影した、このバス停に到着するバス５の映像を解析して、そのバスの系統番号を認識する。
【００５０】
系統番号は、バスの運行される路線を識別するための番号である。系統番号は、通常、バスの先頭正面の上部に大きく表示される。系統番号の認識は、公知の画像認識方法で行えばよい。たとえば、映像内のバスの正面を認識して抽出し、その上部の所定箇所にある所定サイズ以上の数字や文字を系統番号として認識するといった方法でよい。
【００５１】
さらに、バス停装置２０は、カメラ２２の撮影した映像を解析することで、バス停に停車中のバスに乗り込む乗客の数（乗車客数）と、停車中のバスから降りる乗客の数（降車客数）をそれぞれカウントする。そして、そのバスがバス停から出発したことを映像解析によって検出すると、そのバスの系統番号と、乗車客数と、降車客数と、当該バス停の識別情報とを含むバス位置情報を中央装置４０にメッシュネットワーク１２を通じて送信する。バス停の識別情報には、たとえば、各バス停に付与されているＩＤや、バス停に設置されているバス停装置２０のカメラ部２１のＩＰアドレスなどが使用される。中央装置４０は、バス停の識別情報からそのバス停の位置を認識する。
【００５２】
また、バス停装置２０は、カメラ２２の撮影した映像を解析してバス停前の道路混雑度を検出し、その道路混雑度と当該バス停の識別情報とを含む道路混雑情報を定期的（たとえば、５分毎）に中央装置４０にメッシュネットワーク１２を通じて送信する処理を行う。ここでは、単位時間（５分）の間にバス停前を通過した車両の台数（車両通過台数）と、それらの車両の平均速度とを道路混雑度を示す情報として送信する。
【００５３】
情報センターの中央装置４０は、バス停装置２０から通知されたバス位置情報および道路混雑情報から、運行中の各バスが下流のバス停に到着する時刻（到着予測時刻）を求める。
【００５４】
到着予測時刻は、たとえば、次のようにして求める。バス停装置２０からバス位置情報を受信した時刻をそのバス位置情報の示すバス停からバスが出発した時刻とする（出発時刻がバス位置情報に含まれる構成でもよい。）。時間帯別に各バス停間をバスが走行するのに要する時間（通常所要時間）およびそのときの平均的な道路混雑度（通常道路混雑度とする）を予め計測等してデータベースに登録しておく。そして、対象区間（たとえば、出発バス停から次のバス停まで）における現在の道路混雑度と通常道路混雑度とを比較し、それらの差分に基づいてその区間の通常所要時間を増減補正してその区間の所要時間を求め、この所要時間を出発時刻に加算した時刻を到着予測時刻として求める。
【００５５】
なお、Ｎ個下流のバス停への到着予測時刻は、Ｎ個下流のバス停までの各バス停間の所要時間を、上記の手法（通常所要時間を、道路混雑度と通常混雑度との差分で補正する方法）で求めて合計し、該合計値と、１つのバス停での標準停車時間×（Ｎ−１）とを出発時刻に加算した時刻として求める。
【００５６】
たとえば、道路混雑度として通過車両の平均速度を使用する場合、バス停装置２０から受信した道路混雑情報に含まれる平均速度が予め定めた標準速度よりどの程度遅いかに応じて、その区間の通常所要時間を長くするように補正すればよい。具体的には、所要時間＝通常所要時間×標準速度÷道路混雑情報の示す平均速度  として求めることができる。
【００５７】
また、到着予測時刻は次のような方法で求めてもよい。ここでは、次のバス停への到着予測時間を求める例を示す。各バス停間の距離をデータベースとして保持しておく。出発バス停から次のバス停までのバスの平均走行速度を、各バス停のバス停装置２０から受信される道路混雑度（車両通過台数とそれらの平均速度）から推定する。たとえば、出発バス停のバス停装置２０から受信した道路混雑度と次のバス停のバス停装置２０から受信した道路混雑度の平均を、出発バス停から次のバス停までの平均の道路混雑度とし、この道路混雑度における平均走行速度を求める。そして、出発バス停から次のバス停までの距離と道路混雑度から推定した平均走行速度とから走行時間を算出し、これを出発時刻に加算した時刻を到着予測時刻として求める。なお、到着予測時刻の求め方は例示した方法に限定されず、任意でよい。
【００５８】
中央装置４０の運行情報処理装置４１は、各バス停装置２０から受信したバス位置情報に含まれる乗車客数および降車客数から、それらの差分（乗車客数−降車客数）を求め、これをそのバスの起点のバス停から累計して現時点でのそのバスの乗客数を求める。そして、この乗客数とそのバスの定員数との比率からそのバスの混雑度を求める。上記比率自体を混雑度としてもよいし、上記比率を複数段階に区分して混雑度を表すようにしてもよい。たとえば、０〜７０％は「混雑なし」、７１〜１００％は「やや混雑」、１０１〜１４０％は「混雑」、１４０％以上は「満員」などのように区分する。
【００５９】
中央装置４０は、運行中の各バスについて、そのバスが下流のバス停に到着する到着予測時刻と、そのバスの混雑度と、そのバスの系統番号および行き先を示すバス運行情報を作成し、該バス運行情報を、そのバスが向う下流のバス停のバス停装置２０に対してメッシュネットワーク１２を通じて送信する。
【００６０】
下流のバス停のうち、次のバス停のバス停装置２０のみ、あるいは２個下流、３個下流までのバス停のバス停装置２０のみを対象にバス運行情報を送信するようにしてもよいし、下流の全てのバス停にバス運行情報を送信してもよい。幾つ下流のバス停までを対象とするかを設定変更可能に構成するとよい。
【００６１】
自装置宛てのバス運行情報を受信したバス停装置２０は、このバス運行情報に基づく情報を自装置の情報表示板２５に表示する。これにより、バス停でバスを待つ利用者は、近づくバスの系統番号、そのバスの到着予測時刻および混雑状況を知ることができ、バス待ちの不安が軽減される。
【００６２】
また、バスの利用者等は、自己の携帯する情報端末５０などから、最寄りのバス停に設置されているバス停装置２０のアクセスポイント２４に接続し、メッシュネットワーク１２を経由して中央装置４０にアクセスしてバス運行情報の提供を要求し、所望のバス運行情報を中央装置４０から取得することができる。このアクセスはバス事業者等の管理するイントラネットへのアクセスである。
【００６３】
上記アクセスを受けた中央装置４０は、利用者から指定されたバス停に到着するバスに関するバス運行情報をそのアクセス元の情報端末５０に送信する。情報端末５０は受信したバス運行情報をディスプレイに表示する。たとえば、バス停一覧の中から所望のバス停の選択を受けると、そのバス停に向かうバスに関するバス運行情報を提供する。あるいは、情報端末５０の接続されたアクセスポイント２４の位置から自動的にバス停を割り出し、このバス停に向かうバスに関するバス運行情報を自動的に提供するようにしてもよい。
【００６４】
このように、バスの利用者等は、メッシュネットワーク１２を構成するアクセスポイント２４のサービスエリア内であれば、バス停からある程度離れていても自己の情報端末５０からバス運行情報を入手して閲覧することができる。これにより「バス停までゆっくり歩いて大丈夫か」といった判断が可能になる。また、バスの混雑度を示す情報も入手できるので、「バスを１台見送って次のバスにするべきか」といった判断も可能になる。
【００６５】
図５は、災害時にバス停情報提供システム１０が行う災害情報の提供等に関する動作を示している。バス停情報提供システム１０の中央装置４０は、インターネットを通じて災害発生に関する各種の情報を取得して災害の発生を検出する。中央装置４０は、災害発生を検出すると、自装置の動作を自動的に災害モードに切り替える。なお、防災担当者などが災害の発生時に手動で中央装置４０を災害モードに切り替えるようにしてもよい。
【００６６】
災害モードでは、バス停情報提供システム１０は、バス停に設置されているバス停装置２０の情報表示板２５を通じて避難情報などを提供する。たとえば、中央装置４０の災害情報処理装置４３は、各バス停のバス停装置２０に対し、そのバス停付近からの避難に適した災害時避難場所の案内図などを送信して表示させる。
【００６７】
また、バス停装置２０のカメラ２２によって各バス停付近を撮影した映像を情報センターの中央装置４０で収集してモニタに表示する。この映像は、防災担当者による被害状況の確認などに供される。
【００６８】
さらに、中央装置４０は、災害モードでは、通常はイントラネットとして使用しているメッシュネットワーク１２を一時的に開放してインターネットに接続する。これにより、被災者等は最寄りのバス停に設置されているバス停装置２０のアクセスポイント２４を使用して自己の情報端末５０をインターネットに接続して災害情報を確認することができる。
【００６９】
バス停情報提供システム１０を災害時に活用することで、災害発生初期において携帯電話通信網が利用できない状況であっても、メッシュネットワーク１２を利用して災害情報の提供や被災状況の収集を行うことができる。
【００７０】
図６は、バス停情報提供システム１０が行う情報端末５０の位置検出サービスの動作を示している。位置検出サービスは中央装置４０の位置情報処理装置４２が行う。位置検出サービスは、平時は徘徊高齢者など行方不明者の捜索に利用される。一方、災害発生時は、被災者等の所在・安否確認に利用される。
【００７１】
バス停装置２０は、自装置のアクセスポイント２４がそのサービスエリア内で情報端末５０を検出したとき、その情報端末５０のＭＡＣアドレスと当該検出したバス停装置２０の識別情報とを含む検出通知を、メッシュネットワーク１２を通じて中央装置４０に送信する。この検出通知を受信した中央装置４０の位置情報処理装置４２は、受信した検出通知に含まれるＭＡＣアドレスと予め登録されている捜索対象のＭＡＣアドレスとを比較する。
【００７２】
平時の捜索対象は、たとえば、徘徊高齢者に所持させている情報端末５０のＭＡＣアドレスにされる。災害発生時の捜索対象は、被災者の情報端末５０のＭＡＣアドレスにされる。
【００７３】
受信した検出通知に含まれるＭＡＣアドレスと予め登録されている捜索対象のＭＡＣアドレスとが一致する場合は、その一致するＭＡＣアドレスを有する情報端末５０を所持する人物がこの検出通知の送信元のバス停装置２０のアクセスポイント２４のサービスエリア内に居ると判断し、その所在を報知する。たとえば、捜索対象の情報端末５０が検出されたバス停装置２０の設けられているバス停の名称などを所在情報として捜索依頼元へ電子メールなどで通知する。
【００７４】
さらに、検出通知に含まれるＭＡＣアドレスと予め登録されている捜索対象のＭＡＣアドレスとが一致した場合は、その検知通知の送信元のバス停装置２０のカメラ２２が撮影しているバス停付近の映像を、当該一致したＭＡＣアドレスと対応付けて保存する。この映像は情報センターに設置されているモニタに表示される。撮影した映像には捜索対象の人物が写っている可能性があり、モニタでの監視および保存によりその人物の捜索や安否確認に役立てることができる。保存した映像と同じ映像を捜索依頼元に送信してもよい。上記の撮影は、たとえば、一致するＭＡＣアドレスを検出してから所定時間（たとえば５分）継続して行われる、もしくは管理者等から終了指示を受けるまで行われる。
【００７５】
このようにバス停情報提供システム１０では、災害発生初期において携帯電話通信網が利用できない状況であっても、メッシュネットワーク１２を利用して被災者等の安否確認を行うことができる。
【００７６】
次に、これまで説明したバス停情報提供システム１０の機能・動作を実現するためにバス停装置２０、中央装置４０のそれぞれが行う処理の流れ、および、中央装置４０とバス停装置２０の間で授受されるデータのデータ構造について説明する。
【００７７】
図７は、バス停装置２０のカメラ部２１が行う処理の流れを示している。バス停装置２０のカメラ部２１の制御部２３は、カメラ２２が撮影している映像を画像処理して解析する（ステップＳ１０１）。この解析において、映像内の所定の地点（たとえば、バス停前）に車両が検知されなければ（ステップＳ１０２；；Ｎｏ）、ステップＳ１０１に戻って、次の映像の解析を行う。
【００７８】
車両を検知した場合は（ステップＳ１０２；Ｙｅｓ）、その車両の種類がバスか否かを判別する（ステップＳ１０３）。バスならば（ステップＳ１０３；Ｙｅｓ）、そのバスの系統番号を認識する（ステップＳ１０４）。さらに、バスの停車中に映像解析を継続して、このバスへの乗車客数、降車客数をカウントする（ステップＳ１０５）。そしてバスが発車したとき、このバスの系統番号、乗車客数、降車客数および当該バス停装置の識別情報を含むバス位置情報を情報センターの中央装置４０（運行情報処理装置４１）にメッシュネットワーク１２を通じて送信する（ステップＳ１０６）。その後、ステップＳ１０１に戻って処理を継続する。なお、検出したバスがバス停を通過した場合は、系統番号を認識し、乗車客数、降車客数は共に「０」とする。
【００７９】
一方、検知された車両がバスでない場合は（ステップＳ１０３；Ｎｏ）、通過車両台数をカウントアップする（ステップＳ１０７）。さらに、時系列な映像解析により車両の速度を計測する（ステップＳ１０８）。そして、前回の道路混雑情報の送信から一定時間が経過していなければ（ステップＳ１０９；Ｎｏ）、ステップＳ１０１に戻って処理を継続する。
【００８０】
前回の道路混雑情報の送信から一定時間が経過した場合は（ステップＳ１０９；Ｙｅｓ）、この一定時間にバス停前を通過した通過車両台数と、それらの車両の平均速度とを道路混雑情報として情報センターの中央装置４０（運行情報処理装置４１）にメッシュネットワーク１２を通じて送信する（ステップＳ１１０）。その後、ステップＳ１０１に戻って処理を継続する。
【００８１】
図８は、バス停装置２０が中央装置４０（運行情報処理装置４１）に対して送信するバス位置情報のデータ構造を示している。
【００８２】
なお、バス停装置２０と中央装置４０との間で授受されるすべてのデータはヘッダ部とデータ部で構成される。また、ヘッダ部は、この情報の宛先と送信元を示すフィールドで構成される。データ部は、最初に情報種別のフィールドを有し、それ以後のフィールドは情報種別によって個々定められる。
【００８３】
図８に示すバス位置情報では、宛先のフィールドに中央装置４０の運行情報処理装置４１のＩＰアドレスが登録され、送信元のフィールドに当該バス停装置２０の識別情報としてカメラ部２１のＩＰアドレスが登録される。
【００８４】
データ部は、情報種別、バス出発時刻、系統番号、乗車客数、降車客数の各フィールドで構成される。情報種別のフィールドには、バス位置情報に対応する情報種別ＩＤが登録される。バス出発時刻のフィールドには、バス停にバスが停車した場合は、そのバスが当該バス停から出発した時刻が登録され、バスがバス停を通過した場合は、その通過時刻が登録される。系統番号のフィールドには、バス表示器の系統番号を映像解析によって認識した結果が登録される。乗車客数のフィールドには、乗り口から乗車した客数が登録される。バス停をバスが通過した場合は０人が登録される。降車客数のフィールドには、降り口から降車した客数が登録される。バス停をバスが通過した場合は０人が登録される。
【００８５】
図９は、バス停装置２０が中央装置４０（運行情報処理装置４１）に対して送信する道路混雑情報のデータ構造を示している。ヘッダ部の宛先のフィールドには、運行情報処理装置４１のＩＰアドレスが登録され、送信元のフィールドには当該バス停装置２０の識別情報としてカメラ部２１のＩＰアドレスが登録される。
【００８６】
道路混雑情報のデータ部は、情報種別、車両通過台数、平均速度の各フィールドで構成される。情報種別のフィールドには、道路混雑情報に対応する情報種別ＩＤが登録される。車両通過台数のフィールドには、単位時間（図７、ステップＳ１０９の一定時間）にこのバス停を通過した車両の台数が登録される。平均速度は、単位時間にこのバス停を通過した車両の平均速度が登録される。
【００８７】
図１０は、バス停装置２０が中央装置４０から情報を受信した場合に行われる受信割り込み処理の流れを示している。中央装置４０から受信したデータが情報表示板更新データであれば（ステップＳ１４１；情報表示板更新データ）、受信した情報表示板更新データに従って情報表示板２５の表示内容を更新して（ステップＳ１４２）、当該受信割り込み処理を終了する。
【００８８】
中央装置４０から受信したデータが映像要求であれば（ステップＳ１４１；映像要求）、カメラ２２で撮影した映像を中央装置４０へ送信して（ステップＳ１４３）、当該受信割り込み処理を終了する。
【００８９】
なお、バス停装置２０では、中央装置４０から受信したデータのヘッダ部の宛先がカメラ部２１のＩＰアドレスであれば、そのデータに関する処理はカメラ部２１が行い、情報表示板２５のＩＰアドレスであれば、そのデータに関する処理は情報表示板２５が行う。
【００９０】
図１１は、バス停装置２０が中央装置４０へ送信するカメラ映像のデータ構造を示している。ヘッダ部の宛先のフィールドには、位置情報処理装置４２のＩＰアドレスが登録され、送信元のフィールドには当該バス停装置２０の識別情報としてカメラ部２１のＩＰアドレスが登録される。
【００９１】
データ部は、情報種別、カメラ映像の各フィールドで構成される。情報種別のフィールドには、カメラ映像データに対応する情報種別ＩＤが登録される。カメラ映像のフィールドには、カメラ映像のデータ（ＪＰＥＧ（Joint Photographic Experts Group）形式などの画像ファイル）が登録される。
【００９２】
図１２は、中央装置４０の災害情報処理装置４３が行う処理の流れを示している。災害情報処理装置４３は、インターネットなどを通じて災害発生に関する警報を受信すると（ステップＳ２０１；Ｙｅｓ）、災害モードフラグを「１」にセットする（ステップＳ２０２）。そして、各バス停装置２０のアクセスポイント２４でのインターネット接続環境を開放し、情報端末５０等がバス停装置２０のアクセスポイント２４からインターネットへ接続できるようにする（ステップＳ２０３）。さらに、各バス停装置２０へ、警報内容に応じた避難情報などを含む情報表示板更新データを送信して（ステップＳ２０４）、ステップＳ２０１に戻る。
【００９３】
警報を受信しない場合は（ステップＳ２０１；Ｎｏ）、災害が復旧したか否かを判断する（ステップＳ２０５）。災害の復旧は、インターネットなどを通じて災害に関する警報の解除を示す情報の受信、あるいは管理者による災害復旧の手動入力などにより認識する。
【００９４】
災害復旧でない場合は（ステップＳ２０５；Ｎｏ）、ステップＳ２０１に戻って処理を継続する。
【００９５】
災害復旧の場合は（ステップＳ２０５；Ｙｅｓ）、災害モードフラグを「０」にリセットし（ステップＳ２０６）、各バス停装置２０のアクセスポイント２４でのインターネット接続環境を終了させて（ステップＳ２０７）、ステップＳ２０１に戻る。
【００９６】
図１３は、中央装置４０の災害情報処理装置４３がバス停装置２０へ送信する情報表示板更新データのデータ構造を示している。ヘッダ部の宛先のフィールドには、送信先のバス停装置２０の識別情報として情報表示板２５のＩＰアドレスが登録される。送信元のフィールドには災害情報処理装置４３のＩＰアドレスが登録される。
【００９７】
データ部は、情報種別、画像、テキストの各フィールドで構成される。情報種別のフィールドには、災害情報向け情報表示板更新データに対応する情報種別ＩＤが登録される。画像のフィールドには、情報表示板２５に表示する画像のデータが登録される。たとえば、避難場所への誘導用地図データなどが登録される。テキストのフィールドには、情報表示板２５に表示する警告内容のテキストデータが登録される。画像やテキストのフィールドには、送信先のバス停装置２０毎に、そのバス停の場所に応じた避難地図や警告内容が選択されて登録される。
【００９８】
図１４は、中央装置４０の運行情報処理装置４１が行う処理の流れを示している。運行情報処理装置４１は、災害モードフラグが「１」か否かを調べ（ステップＳ３０１）、災害モードフラグが「１」ならば（ステップＳ３０１；Ｙｅｓ）、ステップＳ３０１に戻って、災害フラグモードの監視を継続する。
【００９９】
災害フラグモードが「０」の場合は（ステップＳ３０１；Ｎｏ）、バス停装置２０からバス位置情報などのデータの受信を待つ（ステップＳ３０２；Ｎｏ）。
【０１００】
バス停装置２０からデータを受信すると（ステップＳ３０２；Ｙｅｓ）、そのデータの情報種別を判別する（ステップＳ３０３）。情報種別がバス位置情報であれば（ステップＳ３０３；バス位置情報）、運行中のバスの位置情報およびバス内の混雑度を更新して（ステップＳ３０４）、ステップＳ３０６へ移行する。
【０１０１】
たとえば、運行中の各バスを管理する運行中バス管理テーブルを設けておき、起点のバス停のバス停装置２０からバス位置情報を受信したとき、そのバスを運行中バスとして運行中バス管理テーブルに新規登録する。運行中バス管理テーブルには、運行中のバス毎に、起点バス停、系統番号、最終バス停（最新の出発バス停）、最終バス停出発時刻、下流のバス停へ到着予測時刻、乗客数、バス混雑度などの項目が登録される。
【０１０２】
バス位置情報を受信したとき、これに含まれる系統番号、バス停の識別情報、バス出発時刻から、このバス位置情報に係るバスが、運行中バス管理テーブルの中のどのバスであるかを特定し、このバスに係る登録内容を更新する。乗客数は、受信したバス位置情報に含まれる乗車客数から降車客数を減算した値を、起点のバス停から累積して更新する。バス混雑度は、「混雑なし」、「やや混雑」など乗客数を反映した値に更新される。
【０１０３】
なお、系統番号に対応する終点バス停にバスが到達したとき（もしくは終点バス停を出発したとき）、そのバスを管理テーブルから削除する。
【０１０４】
バス停装置２０から受信したデータの情報種別が道路混雑情報であれば（ステップＳ３０３；道路混雑情報）、道路の混雑状況を更新してステップＳ３０６へ移行する。
【０１０５】
道路の混雑状況については、たとえば、すべてのバス停について、そのバス停前の道路混雑状況を示すデータ（車両通過台数、平均速度）を登録した道路混雑管理テーブルを設けて管理する。いずれかのバス停装置２０から道路混雑情報を受信したとき、その道路混雑情報の送信元のバス停装置２０（カメラ部２１のＩＰアドレスによって特定される）のあるバス停に対応する道路混雑状況のデータを更新する。
【０１０６】
ステップＳ３０６では、受信したバス位置情報が示すバス停の位置と、そのバス停より下流の道路の混雑状況等から、このバスが下流のバス停に到着する時刻を予測した到着予測時刻を算出する。ここでは、次のバス停への到着予測時刻のみならず、下流（次のバス停以降）のすべてのバス停について、それぞれのバス停への到着予測時刻を算出する。
【０１０７】
次に、算出した到着予測時刻およびバスの混雑度等を含むバス運行情報を情報表示板更新データとして各バス停装置２０に送信する（ステップＳ３０７）。
【０１０８】
また、情報端末５０からバス運行情報の提供要求を受けた場合にその応答として送信されるバス運行情報（情報端末装置閲覧用の運行情報）を更新する（ステップＳ３０８）。たとえば、前述した運行中バス管理テーブルを情報端末装置閲覧用の運行情報としてもよい。その後、ステップＳ３０１に戻って処理を継続する。
【０１０９】
図１５は、中央装置４０からバス停装置２０に送信されるバス運行情報としての情報表示板更新データのデータ構造を示している。ヘッダ部の宛先のフィールドには、送信先のバス停に対応する情報表示板２５のＩＰアドレスが登録され、送信元のフィールドには中央装置４０の運行情報処理装置４１のＩＰアドレスが登録される。
【０１１０】
データ部は、情報種別、情報個数、系統番号、最終バス停、最終バス停出発時刻、到着予測時刻、バス混雑度を示す各フィールドで構成される。情報種別のフィールドには、バス運行情報（運行情報向け情報板更新データ）に対応する情報種別ＩＤが登録される。情報個数のフィールドには、このデータ部に含まれる単位バス情報の個数が登録される。「系統番号、最終バス停、最終バス停出発時刻、到着予測時刻、バス混雑度」がバス１台分に対応する単位バス情報である。データ部には、情報個数のフィールドに続けて、情報個数の示す個数分の単位バス情報が登録される。
【０１１１】
最終バス停のフィールドには、このバスが最後に認識された上流バス停（最新の出発バス停）のＩＤが登録される。最終バス停出発時刻のフィールドには、最後に認識された上流バス停からこのバスが出発した時刻が登録される。到着予測時刻はこのバスが当該バス運行情報の送信先のバス停に到着する予測の時刻であり、バス混雑度は、最後に認識された上流バス停を出発したときのこのバス内の混雑状況を示す。
【０１１２】
図１６は、中央装置４０の位置情報処理装置４２が行う処理の流れを示している。なお、各バス停装置２０はそのアクセスポイント２４がそのサービスエリア内で情報端末５０を検知したとき、その検知された情報端末５０のＭＡＣアドレスを中央装置４０の位置情報処理装置４２に対して送信するようになっている。
【０１１３】
中央装置４０の位置情報処理装置４２は、各バス停装置２０のアクセスポイント２４で検出された情報端末５０のＭＡＣアドレスを取得する（ステップＳ４０１）。取得したＭＡＣアドレスが予め登録されているいずれかのＭＡＣアドレスと一致するか否かを調べる（ステップＳ４０２）。
【０１１４】
一致するＭＡＣアドレスがなければ（ステップＳ４０２；Ｎｏ）、ステップＳ４０１に戻って処理を継続する。
【０１１５】
取得したＭＡＣアドレスが予め登録されているいずれかのＭＡＣアドレスと一致する場合は（ステップＳ４０２；Ｙｅｓ）、その一致するＭＡＣアドレスの情報端末の所持者が、捜索対象の行方不明者か否かを調べる（ステップＳ４０３）。
【０１１６】
行方不明者でなければ（ステップＳ４０３；Ｎｏ）、ステップＳ４０１に戻る。行方不明者の場合は（ステップＳ４０３；Ｙｅｓ）、その一致するＭＡＣアドレスの情報端末がアクセスポイント２４によって検出されたバス停装置２０に対して映像要求を送信する（ステップＳ４０４）。なお、ステップＳ４０３をスキップし、ステップＳ４０２；Ｙｅｓの場合に直ちにステップＳ４０４の処理を行うようにしてもよい。
【０１１７】
その後、この映像要求に応じてバス停装置２０から送られて来るカメラ映像を受信して蓄積保存する（ステップＳ４０５）。さらに、一致したＭＡＣアドレスの情報端末５０が検出されたアクセスポイント２４のサービスエリア内にその行方不明者が居ること、およびその捜索依頼を、所定の捜索機関あるいはこのＭＡＣアドレスに係る人物の捜索依頼元に通知する（ステップＳ４０６）。その後、ステップＳ４０１に戻って処理を継続する。
【０１１８】
図１７は、中央装置４０からバス停装置２０に送信される映像要求のデータ構造を示している。ヘッダ部の宛先のフィールドには、送信先のバス停に対応する情報表示板２５のＩＰアドレスが登録され、送信元のフィールドには中央装置４０の位置情報処理装置４２のＩＰアドレスが登録される。
【０１１９】
データ部は、情報種別で構成される。情報種別のフィールドには、映像要求に対応する情報種別ＩＤが登録される。
【０１２０】
以上説明したように、本発明に係るバス停情報提供システム１０では、バス停にカメラ２２を設置し、その映像を解析してバスの系統番号等を認識するので、バスに車載器を搭載する必要がなく、複数のバス事業者が乗り入れているバス停にも、当該バス停情報提供システム１０を容易に導入して運用することができる。
【０１２１】
また、バス停に設置したカメラ映像を解析して乗降客数を認識し、これを起点のバス停から累積して現時点でのバスの乗客数を把握し、バス停の情報表示板２５にバスの混雑度を表示するので、バスの利用者にとっての利便性の高い情報を提供することができる。
【０１２２】
さらに、バス停に設置したカメラの映像からバス停前の道路の混雑状況を認識するので、下流のバス停へのバスの到着時間の予測精度を高めることができる。
【０１２３】
また、災害発生時には、各バス停に設置した情報表示板２５から災害関連情報を提供したり各バス停に設置したカメラ２２の映像を収集して被災状況の確認に役立てたりすることができる。さらに、平時は徘徊高齢者などの行方不明者の捜索、災害時は被災者等の安否確認にもバス停情報提供システム１０を活用することができる。このようにバス停情報提供システム１０は、当該システムが保有するメッシュネットワーク１２を有効に活用して社会に貢献することができる。
【０１２４】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２５】
各バス停装置２０に設けるカメラ２２は１台に限定されず、所望の映像を得るために複数台設置されてもよい。
【０１２６】
バス停装置２０の構成は実施の形態に例示したものに限定されない。たとえば、カメラ２２と情報表示板２５とに共通の制御部を設けて制御する構成であってもよい。
【０１２７】
バスの到着予測時刻やバス混雑度の通知は、下流のバス停のすべてに通知してもよいし、次のバス停のみに通知するあるいは２つ先のバス停まで通知するというように範囲を限定してもよい。
【０１２８】
災害発生時は、当該バス停情報提供システム１０の中央装置４０を公的な防災システムなど他の防災システムと連携させ、バス停情報提供システム１０で収集した被災現場の映像を他の防災システムに提供したり、他の防災システムから、情報表示板２５に表示させる災害情報の提供を受けたりするように構成されてもよい。
【符号の説明】
【０１２９】
３…バス停
５…バス
１０…バス停情報提供システム
１２…メッシュネットワーク
２０…バス停装置
２１…カメラ部
２２…カメラ
２３…制御部
２４…アクセスポイント
２５…情報表示板
２６…表示部
２７…制御部
２８…電源回路
２８ａ…太陽電池
２８ｂ…蓄電池
４０…中央装置
４１…運行情報処理装置
４２…位置情報処理装置
４３…災害情報処理装置
４４…アクセスポイント
５０…情報端末
【図２】
2014010493.tif 000003
【図３】
2014010493.tif 000004
【図７】
2014010493.tif 000005
【図８】
2014010493.tif 000006
【図９】
2014010493.tif 000007
【図１０】
2014010493.tif 000008
【図１１】
2014010493.tif 000009
【図１２】
2014010493.tif 000010
【図１３】
2014010493.tif 000011
【図１４】
2014010493.tif 000012
【図１５】
2014010493.tif 000013
【図１６】
2014010493.tif 000014
【図１７】
2014010493.tif 000015
【図１】
2014010493.tif 000016
【図４】
2014010493.tif 000017
【図５】
2014010493.tif 000018
【図６】
2014010493.tif 000019
【図１８】
2014010493.tif 000020